(57)【要約】      （修正有）【課題】海水又は淡水に住む藻類や貝類等の水棲生物が水産養殖用漁網に付着し繁殖することを抑制するための養殖用漁網を提供する。【解決手段】トルマリン鉱石や活性炭、酸化チタン等と電気の導電性を高めるための黒鉛や導電性酸化亜鉛など、安全性の高い材料を単体もしくは複合させて柔軟性のある樹脂バインダーと一緒に混合し、付着生物に対する忌避性と電気の導電性を持った塗料を作り、その塗料を養殖用漁網に塗付する。【選択図】図１
0003156277.tif 000002
【実用新案登録請求の範囲】
【請求項１】
トルマリン鉱石、黒鉛、活性炭、酸化亜鉛および酸化チタンのうち少なくともいずれかと、バインダー樹脂を混合させてなる塗料を塗布した養殖用漁網。
【請求項２】
請求項１に記載の養殖用漁網において、前記養殖用漁網に通電する電源装置を付属する養殖用漁網。
【考案の詳細な説明】
【技術分野】
【０００１】  本考案は、海水又は淡水に住む藻類や貝類等の水棲生物が水産養殖用漁網に付着し繁殖することを抑制するための養殖用漁網に関するものである。
【背景技術】
【０００２】  海水及び淡水には多くの水棲生物が存在し、水産養殖用漁網に付着して繁殖して漁網の網目を塞ぎ、水の流入排出を阻害して、漁網の中で養殖している魚介類が成長不良や病気の原因の一因になっている。それを防止するために漁網の網目が塞がる度に、取り外して陸上に上げ、高圧洗浄機や手作業で、付着した生物を排除する作業を行っている。この作業については、付着生物が非常に強固に付着しているので除去に多大な労力が必要となる。また、陸上で付着生物を除去することで、その残骸が飛散、腐敗して異臭を放ち、環境汚染の問題となっている。【０００３】  又、亜酸化銅や有機窒素硫黄系、有機ホウ素系等の物質を混入した防汚剤を漁網に塗付して水棲生物を付着しにくくする方法もとられているが、長時間水中に浸けていると、混合している亜酸化銅や毒性のある有害物質が水中に溶け出し、海洋汚染の原因の一つになっている。
【考案の概要】
【考案が解決しようとする課題】
【０００４】  本考案は、環境に配慮した材料を用いて、海水又は淡水に存在する水棲生物が長期間養殖用漁網に付着しにくく、また、漁網に付いた付着生物を除去する手間を少なくするために、水棲生物の付着を抑制する養殖用漁網を提供することを課題とする。
【課題を解決するための手段】
【０００５】  上記課題を達成するために、海水又は淡水に存在する水棲生物が嫌う忌避性を持たせるように、除菌作用のあるマイナスイオンを発生し電気石と呼ばれるトルマリン鉱石や、同じくマイナスイオンを発生し導電性のある活性炭、光触媒で有機物を分解、殺菌作用を持つ酸化チタン、導電性を高めるための黒鉛や導電性酸化亜鉛など、自然界にある安全性の高い材料を単体もしくは複合させて、柔軟性のあるバインダー樹脂に混合し、付着生物に対する忌避性と電気の導電性を持った塗料を作り、その塗料を養殖用漁網に塗付する。【０００６】  さらに上記の塗料を塗付した養殖用漁網に、太陽光発電、水力発電や蓄電池等の電源装置を付属して養殖用漁網に通電する。【０００７】  樹脂バインダーにトルマリン鉱石、黒鉛、活性炭、酸化亜鉛および酸化チタンなど混合する物質の含有量を変えたり、また、通電する電気の電流値を変化させたり、通電する時間を変化することにより、簡単に養殖用漁網を設置する地域に合わせて変更する。
【考案の効果】
【０００８】  請求項１に記載の本考案によると、海水又は淡水に存在する水棲生物が嫌う忌避性を持たせるように、除菌作用のあるマイナスイオンを発生し電気石と呼ばれるトルマリン鉱石や、同じくマイナスイオンを発生し導電性のある活性炭、光触媒で有機物を分解、殺菌作用を持つ酸化チタン、導電性を高めるための黒鉛や導電性酸化亜鉛など、自然界にある安全な材料を単体もしくは複合させて、柔軟性のあるバインダー樹脂と混合して、水棲生物に対する忌避性と導電性を持った塗料を作り、養殖用漁網に塗付することで水棲生物の付着を抑制することができる。【０００９】  請求項２に記載の本考案によると、太陽光発電や水力発電、蓄電池等で発生させた電気を養殖用漁網に通電することにより、塗料の中に混入している粉末にしたトルマリン鉱石、活性炭、黒鉛や導電性酸化亜鉛等が刺激され、電荷を帯び、より効果的にマイナスイオンを発生及び放電し、マイナスイオンの除菌作用で養殖用漁網に水棲生物の付着を抑制することができる。【００１０】  従来、亜酸化銅や有機窒素硫黄系、有機ホウ素系等の物質を混入した漁網剤を漁網に塗付し、水の中に住む水棲生物を付着しにくくする方法もとられているが、魚網剤に混入している毒性が強い亜酸化銅などの有害物質を使わずに、自然界にある物質で構成した付着生物に対し忌避効果を持つ塗料を養殖用漁網に塗付することにより、水中に成分が溶け出しても安全性が高い環境面に配慮した養殖用漁網である。【００１１】  地域により水の温度や日照時間などで水中に住む水棲生物の種類も変化する。また水深により付着生物の種類も変わってくるので、請求項１に記載のトルマリン鉱石、黒鉛、活性炭、酸化亜鉛および酸化チタンなどの混入量を変えたり、通電する電気の電流値を変化させたり点滅することにより、対象地域の環境に合わせで容易に変更することができる。
【図面の簡単な説明】
【００１２】
【図１】  本考案の実施形態を示す養殖用漁網の概略構成図である。
【図２】  本考案の実施形態を示す養殖用漁網の概略詳細図である。
【考案を実施するための形態】
【００１３】  本考案の養殖用漁網に混合する物質として、圧力や温度変化等の刺激でマイナスイオンを発生する電気石と言われているトルマリン鉱石の粉末や、同じくマイナスイオンを放出する活性炭等を単体もしくは複合して使用する。これらの物質が放出するマイナスイオンが持つ除菌作用により養殖用漁網に付く付着生物を減少することができる。
【００１４】  トルマリン鉱石については、樹脂バインダーで柔軟かつ堅固に結合されているので、養殖用漁網が波に揺れた際、内部のトルマリン鉱石に圧力（歪み）が加わり、ピエゾ電気が発生する。又、水中の温度によっても熱エネルギーによりピロ電気が発生する。これらの電気が発生することにより、漁網の表面にマイナスイオンが発生する。
【００１５】  漁網に付着する水中に住む水棲生物は、太陽光があたる海面（水面）に近い方が繁殖しやすく、海面（水面）に遠い方が繁殖しにくい。すなわち海面（水面）に近い方が水温も高くトルマリン鉱石の放つピロ電気によりマイナスイオンの発生量が多いため、付着生物の漁網に対する予防は、より効果的だと考える。
【００１６】  同じく酸化チタンを混入する場合でも、海面に近い方が太陽光に当たりやすいために、酸化チタンの持つ光触媒による分解（酸化）、殺菌作用が大きく作用して、付着生物抑制に有効に作用する。
【００１７】  活性炭は導電性やマイナスイオン発生と、微細孔による吸着効果で、トルマリン鉱石や酸化チタンとの混合による相乗効果で効果的に忌避作用が働く。すなわち、活性炭の吸着作用で水中に住む水棲生物の幼生を吸着し、トルマリン鉱石の持つマイナスイオンの除菌作用や酸化チタンの持つ光触媒による分解（酸化）殺菌作用で、寄せ付けた付着生物の着床を防止する。
【００１８】  さらに上記の塗料をコーティングした養殖用漁網に、太陽光発電や水力発電、蓄電池等で発生させた電気を通電することにより、塗料の中に混入している粉末にしたトルマリン鉱石や活性炭等が刺激され電荷を帯び、より効果的にマイナスイオンを発生及び放電し、マイナスイオンが持つ除菌作用により養殖用漁網に付く付着生物を減少することができる。
【００１９】  また、地域により水の温度や日照時間などで水中に住む水棲生物の種類も変化する。水深により付着生物の種類も変わってくるので、請求項１に記載のトルマリン鉱石、黒鉛、活性炭、酸化亜鉛および酸化チタン等の混入する物質の含有量を変えたり、通電する電気の電流値を変化させたり点滅することにより、簡単に養殖用漁網を設置する地域に合わせることができる。
【実施例】
【００２０】  以下、添付図面により実施例を説明する。図１及び図２の本考案の実施形態を示す養殖用漁網の概略構成図、詳細図において、６の水中に存在する水棲生物が嫌う忌避性を持たす様に、８の除菌作用のあるマイナスイオンを発生し電気石と呼ばれるトルマリン鉱石や、同じくマイナスイオンを発生し導電性のある活性炭、光触媒で有機物を分解、殺菌作用を持つ酸化チタン、導電性を高めるための黒鉛や導電性酸化亜鉛など、自然界にある安全性の高い材料を単体もしくは複合させて、７の柔軟性のある樹脂バインダーと一緒に混ぜ合わせ、付着生物に対する忌避性と電気の導電性を持った塗料を作り、その塗料を１の養殖用漁網に塗付して３の筏に固定する。それだけでも養殖用漁網に付着する６の水棲生物に対する忌避効果があるが、３の筏の上に設置した２の太陽光発電や水力風力発電、蓄電池等で発生させた電気を４の通電用ケーブルを配線し、５部分の養殖用漁網に接続し通電することにより、塗料の中に混入している８のトルマリン鉱石、黒鉛、活性炭、酸化亜鉛等が刺激され、電荷を帯び、より効果的に９のマイナスイオンを発生及び放電し、マイナスイオンが持つ除菌作用により１の養殖用漁網に付く６の付着生物を減少することができる。
【産業上の利用可能性】
【００２１】  本考案は養殖用漁網に付着する水棲生物の付着抑制の考案だが、養殖用漁網に限らず同じ塗料を塗付、通電することにより、水棲生物の付着で困っている工場等の取水口や船舶の船底などの用途でも応用できる。
【符号の説明】
【００２２】１      養殖用漁網
２      電気発生装置（太陽光発電，風力発電，水力発電，蓄電池，商用電源等）
３      筏
４      給電ケーブル
５      給電ケーブル接続部
６      水棲動植物
７      樹脂等の柔軟性かつ堅固性を持ったバインダー
８      添加物質（トルマリン鉱石、黒鉛、活性炭、酸化亜鉛、酸化チタン等）
９      水中に発生するマイナスイオン
【図１】
0003156277.tif 000003
【図２】
0003156277.tif 000004